(57)【要約】【課題】本発明は、転がり抵抗と雪上性能とを両立させることのできる、乗用車用空気入りラジアルタイヤを提供することを目的とする。【解決手段】本発明の乗用車用空気入りラジアルタイヤは、一対のビード部間でトロイダル状に跨る、ラジアル配列コードのプライからなるカーカスを備え、前記タイヤを適用リムに組み込み、内圧を２５０ｋＰａ以上とした際に、前記タイヤの断面幅ＳＷ及び前記タイヤの外径ＯＤが、所定の関係式を満たし、タイヤ幅方向断面において、タイヤ周方向に延びる周方向主溝のうち、タイヤ幅方向最外側に位置する最外側周方向主溝に区画されるタイヤ幅方向内側の溝壁がタイヤ径方向に対してなす角度θｉｎ（°）が、前記最外側周方向主溝に区画されるタイヤ幅方向外側の溝壁がタイヤ径方向に対してなす角度θｏｕｔ（°）より大きいことを特徴とする。【選択図】図４
2015212129.tif 000002
【特許請求の範囲】
【請求項１】
一対のビード部間でトロイダル状に跨る、ラジアル配列コードのプライからなるカーカスを備えた、乗用車用空気入りラジアルタイヤであって、
前記タイヤをリムに組み込み、内圧を２５０ｋＰａ以上とした際に、
前記タイヤの断面幅ＳＷが１６５（ｍｍ）未満である場合は、前記タイヤの断面幅ＳＷと外径ＯＤ（ｍｍ）との比ＳＷ／ＯＤが０．２６以下であり、
前記タイヤの断面幅ＳＷが１６５（ｍｍ）以上である場合は、前記タイヤの断面幅ＳＷおよび外径ＯＤ（ｍｍ）が、関係式、
ＯＤ≧２．１３５×ＳＷ＋２８２．３
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝に区画されるタイヤ幅方向内側の溝壁がタイヤ径方向に対してなす角度θｉｎ（°）の大きさが、前記最外側周方向主溝に区画されるタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜していることを特徴とする、乗用車用空気入りラジアルタイヤ。
【請求項２】
一対のビード部間でトロイダル状に跨る、ラジアル配列コードのプライからなるカーカスを備えた、乗用車用空気入りラジアルタイヤであって、
前記タイヤをリムに組み込み、内圧を２５０ｋＰａ以上とした際に、前記タイヤの断面幅ＳＷおよび外径ＯＤ（ｍｍ）は、関係式、
ＯＤ≧−０．０１８７ＳＷ2＋９．１５×ＳＷ−３８０
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝に区画されるタイヤ幅方向内側の溝壁がタイヤ径方向に対してなす角度θｉｎ（°）の大きさが、前記最外側周方向主溝に区画されるタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜していることを特徴とする、乗用車用空気入りラジアルタイヤ。
【請求項３】
−５°≦θｏｕｔ≦３°、且つ、１０°≦θｉｎ≦２０°、
を満たす、請求項１又は２に記載の乗用車用空気入りラジアルタイヤ。
【請求項４】
前記最外側周方向主溝のタイヤ幅方向外側の溝壁側の溝底部にのみ突起部を設けてなる、請求項１〜３のいずれか一項に記載の乗用車用空気入りラジアルタイヤ。
【請求項５】
前記突起部のタイヤ幅方向の最大幅をｗ１（ｍｍ）、タイヤ径方向の最大高さをｈ１（ｍｍ）とし、前記突起部のタイヤ幅方向断面での断面積をＳ１（ｍｍ2）とするとき、
ｗ１×ｈ１／２≦Ｓ１≦ｗ１×ｈ１
を満たす、請求項１〜４のいずれか一項に記載の乗用車用空気入りラジアルタイヤ。
【請求項６】
前記突起部のタイヤ幅方向の最大幅をｗ１（ｍｍ）、タイヤ径方向の最大高さをｈ１（ｍｍ）とし、
前記タイヤをリムに装着し、前記タイヤを装着する車両毎に規定される内圧を充填し、無負荷状態とした際の、前記最外側周方向主溝の開口部の溝幅をｗ２（ｍｍ）、溝最大深さをｈ２（ｍｍ）とするとき、
１／６≦ｗ１／ｗ２≦１／４、且つ、１／８≦ｈ１／ｈ２≦１／５
を満たす、請求項１〜５のいずれか一項に記載の乗用車用空気入りラジアルタイヤ。
【発明の詳細な説明】
【技術分野】
【０００１】
本発明は、乗用車用空気入りラジアルタイヤに関するものである。
【背景技術】
【０００２】
従来の１９６０年頃までの車両は、車両の重量が軽く、車両に要求される巡航速度も遅かったため、タイヤへの負担が軽く、タイヤの断面幅が狭いバイアスタイヤが用いられていたが、現在、車両の重量化、高速化に伴いタイヤのラジアル化、幅広化が進められている。
【０００３】
しかし、タイヤの幅広化は、車両スペースを圧迫し車内の居住性を低下させる。また、空気抵抗が増大するため、燃費が悪くなるという問題がある。
近年、環境問題への関心の高まりにより、低燃費性への要求が厳しくなってきている。かかる低燃費性は、転がり抵抗（ＲＲ）によって評価することができ、低転がり抵抗であるほど、低燃費となることが知られている。
【０００４】
ここで、低燃費性を向上させるためにタイヤの転がり抵抗値（ＲＲＣ）を低減するには、タイヤを大径化、幅広化することが有効であることが知られているが、タイヤを大径化、幅広化すると、タイヤ重量および空気抵抗が増大するため、車両抵抗が増大し、また、タイヤの負荷能力も過剰となってしまうという問題がある。
【０００５】
この問題に対して、本出願人は、タイヤの内圧と断面幅（ＳＷ）とタイヤの外径（ＯＤ）とが、特定の関係を満たす、いわば、狭幅（狭いタイヤ断面幅）、大径（大きなタイヤ外径）の乗用車用空気入りラジアルタイヤにかかる技術を提案している（例えば、特許文献１）。
【先行技術文献】
【特許文献】
【０００６】
【特許文献１】国際公開第２０１１／１２２１７０号
【発明の概要】
【発明が解決しようとする課題】
【０００７】
上記のような狭幅・大径のタイヤにおいては、さらに転がり抵抗を低減する余地があり、また、オールシーズン用のタイヤとして用いることも望まれている。
【０００８】
そこで、本発明は、転がり抵抗と雪上性能とを両立させることのできる、乗用車用空気入りラジアルタイヤを提供することを目的とする。
【課題を解決するための手段】
【０００９】
本発明者は、上記の課題を解決すべく鋭意検討を重ねた。その結果、狭幅・大径で高内圧での使用を所期するタイヤ特有の理由による転がり抵抗の悪化の原因を突き止めた。すなわち、かかるタイヤでは、タイヤ幅が狭く、高内圧で使用することから、接地圧が高くなりクラッシング変形（タイヤ径方向に圧縮されたトレッドゴムがタイヤ幅方向に膨出する変形）も大きくなる。また、かかるタイヤでは、接地幅が小さくなることからワイピング力（タイヤ走行時にトレッド両端がタイヤ幅方向内側に引き込まれるような力）による、車両装着時最外側の陸部の変形も大きくなる。従って、特に車両装着時最外側の陸部を区画する車両装着時最外側の周方向主溝の溝底に変形が集中してしまう。
以下、図１を参照して詳細に説明する。
【００１０】
図１に示すように、トレッド９０に設けた、車両装着時最外側となる周方向主溝９１のタイヤ幅方向外側の溝壁の溝底部は、特に、狭幅・大径で高内圧の条件で使用するタイヤにあっては、接地圧が大きくなるため、クラッシング変形が大きくなり、また、接地幅が小さくなることから車両装着時最外側の陸部のワイピング力による変形が大きくなる。このため、図１に示すように、溝壁の溝底部がせん断変形し（図１においては、平行四辺形で模式的に示している）、溝壁がタイヤ幅方向内側に膨出するように変形してしまう。なお、この変形量は、図１に示すように、車両装着時最外側陸部のタイヤ幅方向最内側位置よりタイヤ幅方向内側にあるトレッドゴム（図１にて破線の斜線にて示している）の体積に依存し、トレッドゴムの体積が大きくなると変形量も大きくなる。
また、周方向主溝９１の溝底部についても、クラッシング変形により、図１に示すようなせん断変形（図１においては、平行四辺形で模式的に示している）が生じ、溝底がタイヤ径方向外側に膨出するように変形してしまう。
これらの変形がエネルギーロスとなるため、転がり抵抗が悪化してしまう原因となる。
【００１１】
さらには、オールシーズン用のタイヤとしての使用を想定した場合には、雪上性能を確保する必要もある。ここで、図２に示すように、雪上性能を向上させるための雪柱せん断力は、周方向主溝９１の溝体積に依存する。また、雪上性能を向上させるためのエッジ効果は、スリップアングルが付与された際に主な接地面となる、周方向主溝９１に区画されるタイヤ幅方向内側の縁部９２によるエッジ圧に依存する。
【００１２】
本発明者は、これらの知見をもとに、上記の課題を解決する手法を検討したところ、車両装着時最外側となる周方向主溝の両溝壁の傾斜角度を所定の関係とすることにより、所期した目的を有利に達成することができるという新規知見を得て、本発明を完成するに至った。
【００１３】
本発明は、上記の知見に基づいてなされたものであり、その要旨構成は、以下の通りである。
本発明の第一の態様の乗用車用空気入りラジアルタイヤは、一対のビード部間でトロイダル状に跨る、ラジアル配列コードのプライからなるカーカスを備え、
前記タイヤをリムに組み込み、内圧を２５０ｋＰａ以上とした際に、
前記タイヤの断面幅ＳＷが１６５（ｍｍ）未満である場合は、前記タイヤの断面幅ＳＷと外径ＯＤ（ｍｍ）との比ＳＷ／ＯＤが０．２６以下であり、
前記タイヤの断面幅ＳＷが１６５（ｍｍ）以上である場合は、前記タイヤの断面幅ＳＷおよび外径ＯＤ（ｍｍ）が、関係式、
ＯＤ≧２．１３５×ＳＷ＋２８２．３
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝に区画されるタイヤ幅方向内側の溝壁がタイヤ径方向に対してなす角度θｉｎ（°）の大きさが、前記最外側周方向主溝に区画されるタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜していることを特徴とするものである。
この構成によれば、転がり抵抗と雪上性能とを両立させることができる。
【００１４】
ここで、上記の「リム」とは、タイヤが生産され、使用される地域に有効な産業規格であって、日本ではＪＡＴＭＡ（日本自動車タイヤ協会）のＪＡＴＭＡ  ＹＥＡＲ  ＢＯＯＫ、欧州ではＥＴＲＴＯ（Ｔｈｅ  Ｅｕｒｏｐｅａｎ  Ｔｙｒｅ  ａｎｄ  Ｒｉｍ  Ｔｅｃｈｎｉｃａｌ  Ｏｒｇａｎｉｚａｔｉｏｎ）のＳＴＡＮＤＡＲＤＳ  ＭＡＮＵＡＬ、米国ではＴＲＡ（Ｔｈｅ  Ｔｉｒｅ  ａｎｄ  Ｒｉｍ  Ａｓｓｏｃｉａｔｉｏｎ，Ｉｎｃ．）のＹＥＡＲ  ＢＯＯＫ等に記載されているまたは将来的に記載される、適用サイズにおける標準リム（ＥＴＲＴＯのＳＴＡＮＤＡＲＤＳ  ＭＡＮＵＡＬではＭｅａｓｕｒｉｎｇ  Ｒｉｍ、ＴＲＡのＹＥＡＲ  ＢＯＯＫではＤｅｓｉｇｎ  Ｒｉｍ）を指す（即ち、上記の「リム」には、現行サイズに加えて将来的に上記産業規格に含まれ得るサイズも含む）が、上記産業規格に記載のないサイズの場合は、タイヤのビード幅に対応した幅のリムをいう。
また、「タイヤを装着する車両毎に規定される内圧」とは、上記産業規格に定められ、あるいは、将来的に定められる最大負荷荷重に対応する空気圧をいい、上記産業規格に記載のないサイズの場合は、最大乗員数を想定した時に、４輪の中で最も荷重のかかるタイヤへの負荷荷重に対応する空気圧をいうものとする。
【００１５】
さらに、θｉｎは、上記最外側周方向主溝に区画されるタイヤ幅方向内側の溝壁がタイヤ径方向内側からタイヤ径方向外側に向かって、タイヤ幅方向内側に傾斜している場合を正とする。一方、θｏｕｔについては、上記最外側周方向主溝に区画されるタイヤ幅方向外側の溝壁がタイヤ径方向内側からタイヤ径方向外側に向かって、タイヤ幅方向外側に傾斜している場合を正とする。
また、「θｉｎの大きさがθｏｕｔの大きさより大きい」とは、θｉｎの絶対値がθｏｕｔの絶対値より大きいことをいう。
そして、上記最外側周方向主溝に区画されるタイヤ幅方向内側、外側の溝壁のタイヤ径方向に対する傾斜角度が一定でない場合には、溝壁のタイヤ径方向最外側点Ｘと該点Ｘから溝壁のペリフェリに沿ってタイヤ径方向内側に１ｍｍ離間した点Ｙとを結んだ直線がタイヤ径方向に対してなす角度を傾斜角度とする。
なお、後述するように、最外側周方向主溝のタイヤ幅方向外側の溝壁側の溝底部に突起部を設けた場合も同様である。
さらに、溝底に曲率を有する場合も同様に、溝壁のタイヤ径方向最外側点Ｘと該点Ｘから溝壁のペリフェリに沿ってタイヤ径方向内側に１ｍｍ離間した点Ｙとを結んだ直線がタイヤ径方向に対してなす角度を傾斜角度とする。
【００１６】
本発明の第二の態様の乗用車用空気入りラジアルタイヤは、一対のビード部間でトロイダル状に跨る、ラジアル配列コードのプライからなるカーカスを備えた、乗用車用空気入りラジアルタイヤであって、
前記タイヤをリムに組み込み、内圧を２５０ｋＰａ以上とした際に、前記タイヤの断面幅ＳＷおよび外径ＯＤ（ｍｍ）は、関係式、
ＯＤ≧−０．０１８７ＳＷ2＋９．１５×ＳＷ−３８０
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝の、タイヤ幅方向内側の溝壁がタイヤ径方向に対してなす角度θｉｎ（°）の大きさが、前記最外側周方向主溝のタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜していることを特徴とするものである。
この構成によれば、転がり抵抗と雪上性能とを両立させることができる。
【００１７】
また、本発明の乗用車用空気入りラジアルタイヤにおいては、
−５°≦θｏｕｔ≦３°、且つ、１０°≦θｉｎ≦２０°、
を満たすことが好ましい。
上記の角度範囲によれば、転がり抵抗と雪上性能とをより一層両立させることができる。
【００１８】
さらに、本発明の乗用車用空気入りラジアルタイヤにあっては、前記最外側周方向主溝のタイヤ幅方向外側の溝壁側の溝底部にのみ突起部を設けてなることが好ましい。
これによれば、転がり抵抗をさらに低減することができる。
【００１９】
さらにまた、本発明の乗用車用空気入りラジアルタイヤでは、前記突起部のタイヤ幅方向の最大幅をｗ１（ｍｍ）、タイヤ径方向の最大高さをｈ１（ｍｍ）とし、前記突起部のタイヤ幅方向断面での断面積をＳ１（ｍｍ2）とするとき、
ｗ１×ｈ１／２≦Ｓ１≦ｗ１×ｈ１
を満たすことが好ましい。
上記の範囲とすることにより、転がり抵抗と雪上性能とをさらに両立させることができる。
【００２０】
加えて、本発明の乗用車用空気入りラジアルタイヤでは、前記突起部のタイヤ幅方向の最大幅をｗ１（ｍｍ）、タイヤ径方向の最大高さをｈ１（ｍｍ）とし、
前記タイヤをリムに装着し、前記タイヤを装着する車両毎に規定される内圧を充填し、無負荷状態とした際の、前記最外側周方向主溝の開口部の溝幅をｗ２（ｍｍ）、溝最大深さをｈ２（ｍｍ）とするとき、
１／６≦ｗ１／ｗ２≦１／４、且つ、１／８≦ｈ１／ｈ２≦１／５
を満たすことが好ましい。
上記の範囲とすることにより、転がり抵抗と雪上性能とをさらに両立させることができる。
【発明の効果】
【００２１】
本発明によれば、転がり抵抗と雪上性能とを両立させることのできる、乗用車用空気入りラジアルタイヤを提供することができる。
【図面の簡単な説明】
【００２２】
【図１】車両装着時最外側の周方向主溝の溝底付近の変形について説明するための図である。
【図２】車両装着時最外側の周方向主溝の断面形状と雪上性能との関係について説明するための図である。
【図３】本発明の一実施形態にかかるタイヤのトレッドパターンを示す展開図である。
【図４】本発明の一実施形態にかかるタイヤのタイヤ幅方向最外側の周方向主溝２ａのタイヤ幅方向断面形状を示す図である。
【図５】本発明の一実施形態にかかるタイヤの作用効果について説明するための図である。
【図６】図３の周方向主溝２ｂ、２ｃのタイヤ幅方向断面形状を示す図である。
【発明を実施するための形態】
【００２３】
以下、図面を参照して本発明の実施形態について詳細に例示説明する。
【００２４】
まず、本実施形態の乗用車用空気入りラジアルタイヤ（以下、単にタイヤとも称する）は、一対のビード部間でトロイダル状に跨る、ラジアル配列コードのプライからなるカーカスを備えたラジアルタイヤである。
そして、本実施形態のタイヤは、タイヤの断面幅ＳＷ（ｍｍ）と、タイヤの外径ＯＤ（ｍｍ）とが以下の関係を満たすものである。すなわち、本実施形態のタイヤをリムに組み込み、内圧を２５０ｋＰａ以上とした際に、タイヤの断面幅ＳＷが１６５（ｍｍ）未満である場合は、タイヤの断面幅ＳＷと外径ＯＤ（ｍｍ）との比ＳＷ／ＯＤが０．２６以下であり、あるいは、タイヤの断面幅ＳＷが１６５（ｍｍ）以上である場合は、タイヤの断面幅ＳＷおよび外径ＯＤ（ｍｍ）が、関係式、ＯＤ≧２．１３５×ＳＷ＋２８２．３、を満たすものである。
【００２５】
タイヤの断面幅ＳＷおよび外径ＯＤ（ｍｍ）が、上記の関係であることにより、狭幅、大径の形状となり、タイヤの転がり抵抗性能を向上させ（転がり抵抗値を低減させ）、且つ、タイヤを軽量化することができる。また、タイヤの内圧は、２５０ｋＰａ以上であることが好ましく、２５０〜３５０ｋＰａであることがより好ましい。
【００２６】
図３は、本発明の一実施形態にかかるタイヤのトレッドパターンを示す図である。図３に示すように、このタイヤは、トレッド踏面１に、１本以上の（図示例で３本の）タイヤ周方向に延びる周方向主溝２（２ａ、２ｂ、２ｃ）を有している。図１に示すように、タイヤ赤道面ＣＬを境界として一方側のタイヤ幅方向半部に１本の周方向主溝２ａが配置され、この周方向主溝２ａは、３本の周方向主溝２の中で最も溝幅が大きいものである。そして、図示例では、タイヤ赤道面ＣＬを境界として他方側のタイヤ幅方向半部に２本の周方向主溝２ｂ、２ｃが配置されている。
【００２７】
図１に示すように、このタイヤは、図示例で３つの周方向主溝２ａ、２ｂ、２ｃ、及び、トレッド端ＴＥにより区画される、図示例で４つの陸部３ａ、３ｂ、３ｃ、３ｄを有している。
【００２８】
ここで、図４は、３本のタイヤ周方向に延びる周方向主溝２ａ、２ｂ、２ｃのうち、タイヤ赤道面ＣＬを境界とするタイヤ幅方向一方の半部においてタイヤ幅方向最外側に位置する最外側周方向主溝２ａのタイヤ幅方向断面形状を示す図である。
図４に示すように、最外側周方向主溝２ａに区画されるタイヤ幅方向内側の溝壁２１は、タイヤ径方向内側から外側に向かってタイヤ幅方向内側に傾斜している。また、図４に示すように、最外側周方向主溝２ａに区画されるタイヤ幅方向内側の溝壁２１がタイヤ径方向に対してなす角度θｉｎは、この例で、１５°である。一方で、図２に示すように、最外側周方向主溝２ａに区画されるタイヤ幅方向外側の溝壁２２がタイヤ径方向に対してなす角度θｏｕｔは、この例で、０°である。
このように、本実施形態のタイヤは、最外側周方向主溝２ａのタイヤ幅方向内側の溝壁２１がタイヤ径方向に対してなす角度θｉｎの大きさ（この例では１５°）が、最外側周方向主溝２ａのタイヤ幅方向外側の溝壁２２がタイヤ径方向に対してなす角度θｏｕｔの大きさ（この例では０°）より大きいことを特徴とするものである。
なお、本実施形態では、周方向主溝２ｂ、２ｃについては、図６に示すように、タイヤ幅方向断面で対称な形状をしており、これらの周方向主溝２ｂ、２ｃにより区画されるタイヤ幅方向内側の溝壁は、タイヤ径方向内側から外側に向かってタイヤ幅方向内側に傾斜しており、該溝壁のタイヤ径方向に対する傾斜角度は５°であり、また、これらの周方向主溝２ｂ、２ｃにより区画されるタイヤ幅方向外側の溝壁は、タイヤ径方向内側から外側に向かってタイヤ幅方向外側に傾斜しており、該溝壁のタイヤ径方向に対する傾斜角度は５°である。
以下、最外側周方向主溝２ａが、車両装着時の外側となるように、本実施形態のタイヤを車両に装着した際の作用効果について、図５を参照して説明する。なお、図５では、便宜上、図４と異なり、θｏｕｔが負の場合を示している。
【００２９】
まず、雪上性能を向上させるためには、上述したように周方向主溝２ａに区画されるタイヤ幅方向内側の縁部によるエッジ圧を高めることが有効であるが、本実施形態では、角度θｉｎの大きさを角度θｏｕｔの大きさより相対的に大きくしているため、周方向主溝２ａに区画されるタイヤ幅方向内側の縁部によるエッジ圧を高め、雪上旋回性能を向上させることができる。
さらに、排水性の確保の観点から、周方向主溝２ａの溝幅（開口幅）を一定とした場合の対比で考えると、角度θｉｎの大きさを角度θｏｕｔの大きさより相対的に大きくすると、溝底の幅が小さくなるため、溝底部のせん断変形を低減することができる。
【００３０】
一方で、角度θｏｕｔの大きさは、角度θｉｎの大きさより相対的に小さいため、車両装着時最外側陸部のタイヤ幅方向最内側位置よりタイヤ幅方向内側にあるトレッドゴム部分の体積を低減して（図４、図５に示す例では、車両装着時最外側陸部のタイヤ幅方向最内側位置よりタイヤ幅方向内側にあるトレッドゴム部分がなくなる）、溝壁の溝底部のせん断変形を低減することができる。また、角度θｏｕｔの大きさは、角度θｉｎの大きさより相対的に小さいため、周方向主溝２ａの溝幅（開口幅）を一定とした場合の対比においては、周方向主溝２ａの断面積を確保することができ、雪柱せん断力を確保して、雪上旋回性能を確保することができる。なお、図４、図５とは異なって角度θｏｕｔが正の場合であっても、角度θｏｕｔの大きさは、角度θｉｎの大きさより相対的に小さいため、周方向主溝２ａの溝幅（開口幅）を一定として考えた際には、周方向主溝２ａの溝底の幅は小さくなり、溝底部のせん断変形が低減される。
以上のように、本実施形態のタイヤによれば、転がり抵抗と雪上性能とを両立させることができる。
【００３１】
ここで、本発明にあっては、角度θｏｕｔは、図４に示したように０°であっても、図５に示したように、負であっても良く、あるいは、正であってもよい。具体的には、角度θｉｎ及びθｏｕｔは、−５°≦θｏｕｔ≦３°、且つ、１０°≦θｉｎ≦２０°を満たすことが好ましい。
角度θｉｎを１０°以上とすることにより、上述したエッジ圧をより一層高めることができ、一方で、角度θｉｎを２０°以下とすることにより、周方向主溝２ａの断面積を確保して、雪柱せん断力をより一層確保することができるからである。
また、θｏｕｔを−５°以上とすることにより、幅方向最外側陸部の剛性を確保することができ、一方で、θｏｕｔを３°以下とすることにより、溝壁の溝底部のせん断変形をより一層抑制することができる。
なお、幅方向最外側陸部の剛性を確保する観点からは、θｏｕｔを０°以上とすることがより好ましい。
【００３２】
また、本発明にあっては、図４、図５に示すように、最外側周方向主溝２ａのタイヤ幅方向外側の溝壁側の溝底部にのみ突起部４を設けることが好ましい。ワイピング変形の影響を受けやすいタイヤ幅方向外側の溝壁側の溝底部にのみ突起部４を設けることにより、雪柱せん断力を確保しつつ、効果的に転がり抵抗を低減することができるからである。
図４、図５に示す例では、突起部４は、このタイヤ幅方向断面視において、矩形の形状をなしており、タイヤ径方向内側から外側に向かってタイヤ幅方向外側に傾斜した側壁を有している。また、突起部４の底面は、突起部４の上面より幅が大きく、このような形状により、溝底部の変形を効果的に抑制することができる。
【００３３】
さらに、本発明にあっては、図５に示すように、突起部４のタイヤ幅方向の最大幅をｗ１（ｍｍ）、タイヤ径方向の最大高さをｈ１（ｍｍ）とし、突起部４のタイヤ幅方向断面での断面積をＳ１（ｍｍ2）とするとき、
ｗ１×ｈ１／２≦Ｓ１≦ｗ１×ｈ１
を満たすことが好ましい。
Ｓ１≧ｗ１×ｈ１／２とすることにより、突起部４による補強効果を高めて、より一層溝底部のせん断変形を抑制することができ、一方で、Ｓ１≦ｗ１×ｈ１とすることにより、溝体積を確保して雪柱せん断力を確保することができるからである。
【００３４】
さらにまた、本発明にあっては、図４に示すように、タイヤをリムに装着し、タイヤを装着する車両毎に規定される内圧を充填し、無負荷状態とした際の、最外側周方向主溝２ａの開口部の溝幅をｗ２（ｍｍ）、溝最大深さをｈ２（ｍｍ）とするとき、
１／６≦ｗ１／ｗ２≦１／４、且つ、１／８≦ｈ１／ｈ２≦１／５
を満たすことが好ましい。
比ｗ１／ｗ２を１／６以上とし、且つ、比ｈ１／ｈ２を１／８以上とすることにより、突起部４による補強効果を高めて、より一層溝底部のせん断変形を抑制することができ、一方で、比ｗ１／ｗ２を１／８以下とし、且つ、比ｈ１／ｈ２を１／５以下とすることにより、溝体積を確保して雪柱せん断力を確保することができるからである。
【００３５】
ここで、本発明にあっては、タイヤ幅方向最外側に位置する最外側周方向主溝２ａは、トレッド端ＴＥからトレッド幅ＴＷの１５％以上２５％以下の距離だけ離間していることが好ましい。
最外側周方向主溝２ａが、トレッド端ＴＥからトレッド幅ＴＷの１５％以上の距離だけ離間していることにより、タイヤ幅方向最外側の陸部のタイヤ幅方向の幅を確保して、ドライ路面での操縦安定性を確保することができ、一方で、最外側周方向主溝２ａが、トレッド端ＴＥからトレッド幅ＴＷの２５％以下の距離だけ離間していることにより、スリップアングルが付与された際に接地長が長くなるタイヤ幅方向外側の領域で最外側周方向主溝２ａによる雪柱せん断力を効果的に確保することができるからである。
なお、「トレッド端」とは、タイヤをリムに装着し、タイヤを装着する車両毎に規定される内圧を充填し、上記産業規格に定められ、あるいは、将来的に定められる最大負荷荷重、あるいは、上記産業規格に記載のないサイズの場合は、最大乗員数を想定した時に、４輪の中で最も荷重のかかるタイヤへの負荷荷重を負荷した際に、路面に接地することとなる接地面のタイヤ周方向全域にわたる領域のうち、タイヤ幅方向最外側の位置をいうものとし、「トレッド幅」とは、トレッド端ＴＥ間のタイヤ幅方向の距離をいうものとする。
【００３６】
ここで、図３に示すように、タイヤ幅方向最外側に位置する最外側周方向主溝２ａは、他の周方向主溝２ａ、２ｂより溝幅が大きいことが好ましい。
スリップアングルが付与された際に接地長が長くなる車両装着時外側の周方向主溝の溝面積を大きくすることにより、効率的に雪柱せん断力を向上させることができるからである。
特に、本発明にあっては、タイヤ幅方向最外側に位置する最外側周方向主溝２ａの溝幅（開口幅）は、トレッド幅ＴＷの６〜９％とすることが好ましい。
溝幅をトレッド幅ＴＷの６％以上とすることにより、最外側周方向主溝２ａの溝断面積を確保して、効率的に雪柱せん断力をより高めることができ、一方で、溝幅をトレッド幅ＴＷの９％以下とすることにより、圧縮剛性の低下によってクラッシング変形が発生してしまうのを抑制することができるため、転がり抵抗を低減させることができるからである。
なお、最外側周方向主溝の溝幅は、タイヤをリムに装着し、タイヤを装着する車両毎に規定される内圧を充填し、無負荷状態とした際の溝幅をいうものとする。
【００３７】
また、図３に示すように、陸部３ａには、タイヤ幅方向に延びる複数本の幅方向溝５とタイヤ幅方向に延びる複数本の幅方向サイプ６とが、タイヤ周方向に交互に配置されている。この幅方向溝５により、雪柱せん断力を確保して、雪上トラクション性能や雪上ブレーキ性能を向上させることができる。また、幅方向サイプ６により、タイヤ周方向に対するエッジ成分を確保することができる。
【００３８】
次に、陸部３ｂは、タイヤ幅方向に延びる幅方向溝７をタイヤ周方向に間隔をおいて複数本有している。これにより、雪柱せん断力を確保して、雪上トラクション性能や雪上ブレーキ性能を向上させることができる。また、陸部３ｂには、タイヤ幅方向に傾斜して延びる幅方向サイプ８がタイヤ周方向に間隔をおいて設けられており、これにより、タイヤ周方向及びタイヤ幅方向に対するエッジ成分を確保することができる。さらに、陸部３ｂには、この例で１本のタイヤ周方向に延びる周方向サイプ９が形成されており、これにより、タイヤ幅方向に対するエッジ成分を確保することができる。
【００３９】
次に、陸部３ｃには、は、タイヤ幅方向に傾斜して延びる幅方向サイプ１０をタイヤ周方向に間隔をおいて複数本有している。これにより、タイヤ周方向及びタイヤ幅方向に対するエッジ成分を確保することができる。
【００４０】
次に、陸部３ｄには、タイヤ幅方向に延びる幅方向溝１１をタイヤ周方向に間隔をおいて複数本有している。これにより、雪柱せん断力を確保して、雪上トラクション性能や雪上ブレーキ性能を向上させることができる。また、陸部３ｄには、タイヤ幅方向に延びる幅方向サイプ１２がタイヤ周方向に間隔をおいて複数本設けられており、これにより、タイヤ周方向に対するエッジ成分を確保することができる。さらに、陸部３ｄには、この例で１本のタイヤ周方向に延びる周方向サイプ１３が形成されており、これにより、タイヤ幅方向に対するエッジ成分を確保することができる。
【００４１】
ここで、本発明のタイヤでは、タイヤをリムに組み込み、内圧を２５０ｋＰａ以上とした際に、タイヤの断面幅ＳＷおよび外径ＯＤ（ｍｍ）は、関係式、
ＯＤ≧−０．０１８７ＳＷ2＋９．１５×ＳＷ−３８０
を満たすものとすることもできる。
上述の実施形態の場合と同様に、狭幅、大径の形状となり、タイヤの転がり抵抗性能を向上させ（転がり抵抗値を低減させ）、且つ、タイヤを軽量化することができる。この場合でも、タイヤの内圧は、２５０ｋＰａ以上であることが好ましく、２５０〜３５０ｋＰａであることがより好ましい。
【実施例】
【００４２】
本発明の効果を確かめるため、発明例１〜１４及び比較例にかかるタイヤを試作した。各タイヤは、一対のビード部間でトロイダル状に跨る、ラジアル配列コードのプライからなるカーカスを備えた、乗用車用空気入りラジアルタイヤである。また、各タイヤは、タイヤサイズが１６５／６０Ｒ１９であり、ＯＤ≧２．１３５×ＳＷ＋２８２．３、及び、ＯＤ≧−０．０１８７ＳＷ2＋９．１５×ＳＷ−３８０を満たすものである。各タイヤは、図３に示すトレッドパターンを有し、タイヤ幅方向最外側に位置する最外側周方向主溝２ａは、トレッド端ＴＥからトレッド幅ＴＷの２３％の距離だけ離間している。なお、表１において、「突起部有り」とは、最外側周方向主溝２ａのタイヤ幅方向外側の溝壁側の溝底部にのみ突起部を設けていることを意味する。
各タイヤの詳細な諸元は、以下の表１に示している。
【００４３】
上記各タイヤをリムサイズ５．５Ｊ−１９のリムに装着し、内圧を３００ｋＰａとして、タイヤの転がり抵抗値及び雪上旋回性能を評価する以下の試験を行った。
＜転がり抵抗値＞
上記各タイヤに、８７ＸＬ（エクストラロード条件でロードインデックスＬ．Ｉ．＝８７相当）の負荷荷重を負荷し、ドラム回転速度１００ｋｍ／ｈの条件にてドラム試験を行って、転がり抵抗を測定した。
評価結果は、比較例にかかるタイヤを１００とする指数にて示した。この指数値が大きいほど転がり抵抗が小さく、転がり抵抗性能が優れていることを意味する。
＜雪上旋回性能＞
雪路において半径３０ｍの円周上をグリップ走行した際の限界横向き加速度を測定した。そして、比較例のタイヤの限界横向き加速度を１００とする指数にて示した。この指数値が大きいほど限界横向き加速度が大きく、雪上旋回性能が良好であることを示す。
以下の表１にタイヤの諸元とともに、これらの評価結果について示す。
【００４４】
【表１】
2015212129.tif 000003
【００４５】
表１に示すように、発明例１〜１４にかかるタイヤは、いずれも比較例にかかるタイヤと比較して、転がり抵抗と雪上性能とを両立することができていることがわかる。
【００４６】
また、発明例１〜９との比較により、−５°≦θｏｕｔ≦３°、且つ、１０°≦θｉｎ≦２０°、を満たすことにより、転がり抵抗と雪上性能とを一層両立することができていることがわかる。
【００４７】
さらに、発明例１と発明例１０との比較により、突起部を設けた発明例１は、発明例１０と比較して、転がり抵抗が良好であることがわかる。
【００４８】
さらにまた、発明例１、１１、１２の比較により、ｗ１×ｈ１／２≦Ｓ１≦ｗ１×ｈ１を満たすことにより、転がり抵抗と雪上性能とを一層両立することができていることがわかる。
【００４９】
加えて、発明例１、１３、１４の比較により、１／６≦ｗ１／ｗ２≦１／４、且つ、１／８≦ｈ１／ｈ２≦１／５、を満たすことにより、転がり抵抗と雪上性能とを一層両立することができていることがわかる。
【符号の説明】
【００５０】
１  トレッド踏面
２、２ａ、２ｂ、２ｃ  周方向主溝
３、３ａ、３ｂ、３ｃ、３ｄ  陸部
４  突起部
５  幅方向溝
６  幅方向サイプ
７  幅方向溝
８  幅方向サイプ
９  周方向サイプ
１０  幅方向サイプ
１１  幅方向溝
１２  幅方向サイプ
１３  周方向サイプ
ＣＬ  タイヤ赤道面
ＴＥ  トレッド端
【図１】
2015212129.tif 000004
【図２】
2015212129.tif 000005
【図３】
2015212129.tif 000006
【図４】
2015212129.tif 000007
【図５】
2015212129.tif 000008
【図６】
2015212129.tif 000009
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
一対のビード部間でトロイダル状に跨る、ラジアル配列コードのプライからなるカーカスを備えた、乗用車用空気入りラジアルタイヤであって、
前記タイヤをリムに組み込み、内圧を２５０ｋＰａ以上とした際に、
前記タイヤの断面幅ＳＷが１６５（ｍｍ）未満である場合は、前記タイヤの断面幅ＳＷと外径ＯＤ（ｍｍ）との比ＳＷ／ＯＤが０．２６以下であり、
前記タイヤの断面幅ＳＷが１６５（ｍｍ）以上である場合は、前記タイヤの断面幅ＳＷおよび外径ＯＤ（ｍｍ）が、関係式、
ＯＤ≧２．１３５×ＳＷ＋２８２．３
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝に区画されるタイヤ幅方向内側の溝壁がタイヤ径方向に対してなす角度θｉｎ（°）の大きさが、前記最外側周方向主溝に区画されるタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜し、
前記最外側周方向主溝のタイヤ幅方向外側の溝壁側の溝底部にのみ突起部を設けてなることを特徴とする、乗用車用空気入りラジアルタイヤ。
【請求項２】
一対のビード部間でトロイダル状に跨る、ラジアル配列コードのプライからなるカーカスを備えた、乗用車用空気入りラジアルタイヤであって、
前記タイヤをリムに組み込み、内圧を２５０ｋＰａ以上とした際に、前記タイヤの断面幅ＳＷおよび外径ＯＤ（ｍｍ）は、関係式、
ＯＤ≧−０．０１８７×ＳＷ２＋９．１５×ＳＷ−３８０
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝に区画されるタイヤ幅方向内側の溝壁がタイヤ径方向に対してなす角度θｉｎ（°）の大きさが、前記最外側周方向主溝に区画されるタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜し、
前記最外側周方向主溝のタイヤ幅方向外側の溝壁側の溝底部にのみ突起部を設けてなることを特徴とする、乗用車用空気入りラジアルタイヤ。
【請求項３】
−５°≦θｏｕｔ≦３°、且つ、１０°≦θｉｎ≦２０°、
を満たす、請求項１又は２に記載の乗用車用空気入りラジアルタイヤ。
【請求項４】
前記突起部のタイヤ幅方向の最大幅をｗ１（ｍｍ）、タイヤ径方向の最大高さをｈ１（ｍｍ）とし、前記突起部のタイヤ幅方向断面での断面積をＳ１（ｍｍ２）とするとき、
ｗ１×ｈ１／２≦Ｓ１≦ｗ１×ｈ１
を満たす、請求項１〜３のいずれか一項に記載の乗用車用空気入りラジアルタイヤ。
【請求項５】
前記突起部のタイヤ幅方向の最大幅をｗ１（ｍｍ）、タイヤ径方向の最大高さをｈ１（ｍｍ）とし、
前記タイヤをリムに装着し、前記タイヤを装着する車両毎に規定される内圧を充填し、無負荷状態とした際の、前記最外側周方向主溝の開口部の溝幅をｗ２（ｍｍ）、溝最大深さをｈ２（ｍｍ）とするとき、
１／６≦ｗ１／ｗ２≦１／４、且つ、１／８≦ｈ１／ｈ２≦１／５
を満たす、請求項１〜４のいずれか一項に記載の乗用車用空気入りラジアルタイヤ。
【請求項６】
前記最外側周方向主溝に区画されるタイヤ幅方向外側の溝壁は、タイヤ径方向内側から外側に向かってタイヤ幅方向内側に傾斜してなる、請求項１又は２に記載の乗用車用空気入りラジアルタイヤ。
【手続補正２】
【補正対象書類名】明細書
【補正対象項目名】００１３
【補正方法】変更
【補正の内容】
【００１３】
本発明は、上記の知見に基づいてなされたものであり、その要旨構成は、以下の通りである。
本発明の第一の態様の乗用車用空気入りラジアルタイヤは、一対のビード部間でトロイダル状に跨る、ラジアル配列コードのプライからなるカーカスを備え、
前記タイヤをリムに組み込み、内圧を２５０ｋＰａ以上とした際に、
前記タイヤの断面幅ＳＷが１６５（ｍｍ）未満である場合は、前記タイヤの断面幅ＳＷと外径ＯＤ（ｍｍ）との比ＳＷ／ＯＤが０．２６以下であり、
前記タイヤの断面幅ＳＷが１６５（ｍｍ）以上である場合は、前記タイヤの断面幅ＳＷおよび外径ＯＤ（ｍｍ）が、関係式、
ＯＤ≧２．１３５×ＳＷ＋２８２．３
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝に区画されるタイヤ幅方向内側の溝壁がタイヤ径方向に対してなす角度θｉｎ（°）の大きさが、前記最外側周方向主溝に区画されるタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜し、
前記最外側周方向主溝のタイヤ幅方向外側の溝壁側の溝底部にのみ突起部を設けてなることを特徴とするものである。
この構成によれば、転がり抵抗と雪上性能とを両立させることができる。
【手続補正３】
【補正対象書類名】明細書
【補正対象項目名】００１６
【補正方法】変更
【補正の内容】
【００１６】
本発明の第二の態様の乗用車用空気入りラジアルタイヤは、一対のビード部間でトロイダル状に跨る、ラジアル配列コードのプライからなるカーカスを備えた、乗用車用空気入りラジアルタイヤであって、
前記タイヤをリムに組み込み、内圧を２５０ｋＰａ以上とした際に、前記タイヤの断面幅ＳＷおよび外径ＯＤ（ｍｍ）は、関係式、
ＯＤ≧−０．０１８７×ＳＷ２＋９．１５×ＳＷ−３８０
を満たし、
前記タイヤは、トレッド踏面に、１本以上のタイヤ周方向に延びる周方向主溝を有し、
前記タイヤをリムに装着し、前記タイヤを装着する車両毎に規定される内圧を充填し、無負荷状態とした際の、タイヤ幅方向断面において、
前記１本以上のタイヤ周方向に延びる周方向主溝のうち、タイヤ赤道面を境界とするタイヤ幅方向一方の半部においてタイヤ幅方向最外側に位置する最外側周方向主溝の、タイヤ幅方向内側の溝壁がタイヤ径方向に対してなす角度θｉｎ（°）の大きさが、前記最外側周方向主溝のタイヤ幅方向外側の溝壁がタイヤ径方向に対してなす角度θｏｕｔ（°）の大きさより大きく、
前記最外側周方向主溝に区画されるタイヤ幅方向内側の溝壁は、タイヤ径方向内側から外側に向かってタイヤ幅方向内側に傾斜し、
前記最外側周方向主溝のタイヤ幅方向外側の溝壁側の溝底部にのみ突起部を設けてなることを特徴とするものである。
この構成によれば、転がり抵抗と雪上性能とを両立させることができる。
【手続補正４】
【補正対象書類名】明細書
【補正対象項目名】００１８
【補正方法】削除
【補正の内容】
【手続補正５】
【補正対象書類名】明細書
【補正対象項目名】００２０
【補正方法】変更
【補正の内容】
【００２０】
加えて、本発明の乗用車用空気入りラジアルタイヤでは、前記突起部のタイヤ幅方向の最大幅をｗ１（ｍｍ）、タイヤ径方向の最大高さをｈ１（ｍｍ）とし、
前記タイヤをリムに装着し、前記タイヤを装着する車両毎に規定される内圧を充填し、無負荷状態とした際の、前記最外側周方向主溝の開口部の溝幅をｗ２（ｍｍ）、溝最大深さをｈ２（ｍｍ）とするとき、
１／６≦ｗ１／ｗ２≦１／４、且つ、１／８≦ｈ１／ｈ２≦１／５
を満たすことが好ましい。
上記の範囲とすることにより、転がり抵抗と雪上性能とをさらに両立させることができる。
加えて、本発明の乗用車用空気入りラジアルタイヤでは、前記最外側周方向主溝に区画されるタイヤ幅方向外側の溝壁は、タイヤ径方向内側から外側に向かってタイヤ幅方向内側に傾斜してなることが好ましい。
【手続補正６】
【補正対象書類名】明細書
【補正対象項目名】００３２
【補正方法】変更
【補正の内容】
【００３２】
また、本発明にあっては、図４、図５に示すように、最外側周方向主溝２ａのタイヤ幅方向外側の溝壁側の溝底部にのみ突起部４を設けている。ワイピング変形の影響を受けやすいタイヤ幅方向外側の溝壁側の溝底部にのみ突起部４を設けることにより、雪柱せん断力を確保しつつ、効果的に転がり抵抗を低減することができるからである。
図４、図５に示す例では、突起部４は、このタイヤ幅方向断面視において、矩形の形状をなしており、タイヤ径方向内側から外側に向かってタイヤ幅方向外側に傾斜した側壁を有している。また、突起部４の底面は、突起部４の上面より幅が大きく、このような形状により、溝底部の変形を効果的に抑制することができる。
【手続補正７】
【補正対象書類名】明細書
【補正対象項目名】００４２
【補正方法】変更
【補正の内容】
【００４２】
本発明の効果を確かめるため、発明例１〜９、１１〜１４、参考例１０、及び比較例にかかるタイヤを試作した。各タイヤは、一対のビード部間でトロイダル状に跨る、ラジアル配列コードのプライからなるカーカスを備えた、乗用車用空気入りラジアルタイヤである。また、各タイヤは、タイヤサイズが１６５／６０Ｒ１９であり、ＯＤ≧２．１３５×ＳＷ＋２８２．３、及び、ＯＤ≧−０．０１８７×ＳＷ２＋９．１５×ＳＷ−３８０を満たすものである。各タイヤは、図３に示すトレッドパターンを有し、タイヤ幅方向最外側に位置する最外側周方向主溝２ａは、トレッド端ＴＥからトレッド幅ＴＷの２３％の距離だけ離間している。なお、表１において、「突起部有り」とは、最外側周方向主溝２ａのタイヤ幅方向外側の溝壁側の溝底部にのみ突起部を設けていることを意味する。
各タイヤの詳細な諸元は、以下の表１に示している。
【手続補正８】
【補正対象書類名】明細書
【補正対象項目名】００４４
【補正方法】変更
【補正の内容】
【００４４】
【表１】
2015212129.tif 000010
【手続補正９】
【補正対象書類名】明細書
【補正対象項目名】００４５
【補正方法】変更
【補正の内容】
【００４５】
表１に示すように、発明例１〜９、１１〜１４、参考例１０にかかるタイヤは、いずれも比較例にかかるタイヤと比較して、転がり抵抗と雪上性能とを両立することができていることがわかる。
【手続補正１０】
【補正対象書類名】明細書
【補正対象項目名】００４７
【補正方法】変更
【補正の内容】
【００４７】
さらに、発明例１と参考例１０との比較により、突起部を設けた発明例１は、参考例１０と比較して、転がり抵抗が良好であることがわかる。